【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
第１のデバイスの制御下で実施される方法であって、
前記第１のデバイスおよび第２のデバイスに無線ローカルエリアネットワークを提供するアクセスポイントに接続することと、
前記第１のデバイスへの接続を求める要求を、前記アクセスポイントに接続された前記第２のデバイスに送信することと、
前記第１のデバイスへの接続を求める前記要求に対する応答を前記第２のデバイスから受信することと、
少なくとも部分的に前記第１のデバイスのネットワーク負荷および前記第２のデバイスのネットワーク負荷に基づいて、前記第１のデバイスおよび前記第２のデバイスを含むアドホックネットワークグループを構成することであって、前記第１のデバイスの前記ネットワーク負荷が、前記アクセスポイントを介して前記第１のデバイスに提供される前記無線ローカルエリアネットワークに基づいており、前記第２のデバイスの前記ネットワーク負荷が、前記アクセスポイントを介して前記第２のデバイスに提供される前記無線ローカルエリアネットワークに基づいており、前記構成することが、
前記第１のデバイスの前記ネットワーク負荷と前記第２のデバイスの前記ネットワーク負荷の差を計算することと、
前記差が所定の値より大きいかどうかを決定することと
を含む、構成することと、
前記差が前記所定の値以下であるという決定に応じて、前記第１のデバイスを介して前記第２のデバイスを前記無線ローカルエリアネットワークに接続することと
を含む方法。
【請求項２】
前記アドホックネットワークグループを前記構成することが、
前記差が前記所定の値より大きいという決定に応じて、前記第２のデバイスに前記アドホックネットワークグループから離れるように命令することと、前記第１のデバイスを介して前記第２のデバイスを前記無線ローカルエリアネットワークから切断することと
をさらに含む、請求項１に記載の方法。
【請求項３】
前記差を前記計算することが、
前記第１のデバイスの前記ネットワーク負荷を計算することと、
前記第２のデバイスの前記ネットワーク負荷に関する情報を前記第２のデバイスから受
信することと
を含む、請求項１に記載の方法。
【請求項４】
前記差を前記計算することが、
前記第１のデバイスがアクセスする内容に関する内容情報を得ること
をさらに含み、前記第１のデバイスの前記ネットワーク負荷が、少なくとも部分的に前記内容情報に基づいて計算される、請求項３に記載の方法。
【請求項５】
前記差を前記計算することが、
前記第１のデバイスの前記ネットワーク負荷を計算することと、
前記第２のデバイスがアクセスする内容に関する内容情報を前記第２のデバイスから受信することと
を含み、前記第２のデバイスの前記ネットワーク負荷を計算することが、少なくとも部分的に前記内容情報に基づく、請求項１に記載の方法。
【請求項６】
前記構成することが、
前記アドホックネットワークグループの総ネットワーク負荷を計算することと、
前記総ネットワーク負荷と前記アクセスポイントの利用可能ネットワーク負荷を比較することと
をさらに含み、前記方法が、
前記総ネットワーク負荷の方が前記アクセスポイントの前記利用可能ネットワーク負荷より大きい場合、前記第２のデバイスに前記アドホックネットワークグループから離れるように命令することと、
前記第１のデバイスを介して前記第２のデバイスを前記無線ローカルエリアネットワークから切断することと
をさらに含む、請求項１に記載の方法。
【請求項７】
前記比較することが周期的に実施される、請求項６に記載の方法。
【請求項８】
前記第１のデバイスが前記アドホックネットワークグループに含まれていることを知らせる信号を前記第２のデバイスに送信することと、
前記第２のデバイスが前記アドホックネットワークグループに含まれていることを知らせる信号を前記第２のデバイスから受信することと
をさらに含む、請求項１に記載の方法。
【請求項９】
前記アクセスポイントがＷｉ−Ｆｉアクセスポイントを含み、前記アクセスポイントによって提供される前記無線ローカルエリアネットワーク、および前記第１のデバイスによって提供される前記無線ローカルエリアネットワークがそれぞれＷｉ−Ｆｉネットワークを含む、請求項１に記載の方法。
【請求項１０】
第１のデバイスであって、
少なくとも１つのプロセッサと、
メモリであって、実行に応答して、前記第１のデバイスに、
前記第１のデバイスおよび第２のデバイスに無線ローカルエリアネットワークを提供する アクセスポイントに接続させ、
前記第１のデバイスへの接続を求める要求を、前記アクセスポイントに接続された前記第２のデバイスへと送信させ、
前記第１のデバイスへの接続を求める前記要求に対する応答を前記第２のデバイスから受信させ、
前記第１のデバイスのネットワーク負荷と前記第２のデバイスのネットワーク負荷の差を計算させ、
前記差が所定の値より大きいかどうかを決定させ、
前記差が前記所定の値以下であるという決定に応じて、前記第１のデバイスおよび前記第２のデバイスを含むアドホックネットワークグループを構成させ、
前記第１のデバイスを介して、前記第２のデバイスへと前記無線ローカルエリアネットワークを提供させる
命令を含み、前記第１のデバイスの前記ネットワーク負荷は、前記アクセスポイントを介して前記第１のデバイスに提供される前記無線ローカルエリアネットワークに基づき、前記第２のデバイスの前記ネットワーク負荷は、前記アクセスポイントを介して前記第２のデバイスに提供される前記無線ローカルエリアネットワークに基づく 、メモリと
を含むデバイス。
【請求項１１】
前記命令が、実行に応答して、前記第１のデバイスに、さらに、前記差が前記所定の値よりも大きいという決定に応じて、前記アドホックネットワークグループから前記第２のデバイスを除外させる、請求項１０に記載の第１のデバイス。
【請求項１２】
前記命令が、実行に応答して、前記第１のデバイスに、さらに
前記第１のデバイスの前記ネットワーク負荷を計算させ、
前記第２のデバイスの前記ネットワーク負荷に関する情報を前記第２のデバイスから受信させる、請求項１０に記載の第１のデバイス。
【請求項１３】
前記命令が、実行に応答して、前記第１のデバイスに、さらに
前記第１のデバイスがアクセスする内容に関する内容情報を得させ、
少なくとも部分的に前記内容情報に基づいて前記第１のデバイスの前記ネットワーク負荷を計算させる、請求項１２に記載の第１のデバイス。
【請求項１４】
前記命令が、実行に応答して、前記第１のデバイスに、さらに
前記第１のデバイスの前記ネットワーク負荷を計算させ、
前記第２のデバイスがアクセスする内容に関する内容情報を前記第２のデバイスから受信させ、
少なくとも部分的に前記内容情報に基づいて前記第２のデバイスの前記ネットワーク負荷を計算させる、請求項１０に記載の第１のデバイス。
【請求項１５】
前記命令が、実行に応答して、前記第１のデバイスに、さらに
前記アドホックネットワークグループの総ネットワーク負荷を計算させ、前記総ネットワーク負荷と前記アクセスポイントの利用可能ネットワーク負荷を比較させ、
前記総ネットワーク負荷の方が前記アクセスポイントの前記利用可能ネットワーク負荷より大きい場合、前記第２のデバイスに対して前記アドホックネットワークグループから離れるように命令させ、
前記第１のデバイスを介して前記第２のデバイスに前記無線ローカルエリアネットワークを提供することを中止させる、請求項１０に記載の第１のデバイス。
【請求項１６】
前記命令が、実行に応答して、前記第１のデバイスに、さらに、前記総ネットワーク負荷と前記アクセスポイントの前記利用可能ネットワーク負荷を周期的に比較させる、請求項１５に記載の第１のデバイス。
【請求項１７】
実行に応答して、前記命令が、前記第１のデバイスに、さらに、前記第１のデバイスが前記アドホックネットワークグループに含まれていることを知らせる信号を前記第２のデバイスに送信させ、前記第２のデバイスが前記アドホックネットワークグループに含まれていることを知らせる信号を前記第２のデバイスから受信させる、請求項１０に記載の第１のデバイス。
【請求項１８】
前記アクセスポイントがＷｉ−Ｆｉアクセスポイントを含み、前記アクセスポイントによって提供される前記無線ローカルエリアネットワーク、および前記第１のデバイスを介して提供される前記無線ローカルエリアネットワークがそれぞれＷｉ−Ｆｉネットワークを含む、請求項１０に記載の第１のデバイス。
【請求項１９】
実行に応答して、第１のデバイスに、
前記第１のデバイスおよび第２のデバイスに無線ローカルエリアネットワークを提供するアクセスポイントに接続することと、
前記第１のデバイスへの接続を求める要求を、前記無線ローカルエリアネットワークに接続された前記第２のデバイスに送信することと、
前記第１のデバイスへの接続を求める前記要求に対する応答を前記第２のデバイスから受信することと、
少なくとも部分的に前記第１のデバイスのネットワーク負荷および前記第２のデバイスのネットワーク負荷に基づいて、前記第１のデバイスおよび前記第２のデバイスを含むアドホックネットワークグループを構成することであって、前記第１のデバイスの前記ネットワーク負荷が、前記アクセスポイントを介して前記第１のデバイスに提供される前記無線ローカルエリアネットワークに基づいており、前記第２のデバイスの前記ネットワーク負荷が、前記アクセスポイントを介して前記第２のデバイスに提供される前記無線ローカルエリアネットワークに基づいており、前記構成することが、
前記第１のデバイスの前記ネットワーク負荷と前記第２のデバイスの前記ネットワーク負荷の差を計算することと、
前記差が所定の値より大きいかどうかを決定することと
を含む、構成することと、
前記差が前記所定の値より大きいという決定に応じて、前記第１のデバイスを介して前記第２のデバイスを前記無線ローカルエリアネットワークに接続することと
を含む操作を実施させるコンピュータ実行可能命令を記憶した非一時的コンピュータ可読記憶媒体。
【請求項２０】
前記操作が、
前記差が前記所定の値以下であるという決定に応じて、前記第２のデバイスに前記アドホックネットワークグループから離れるように命令することと、
前記第１のデバイスを介して前記第２のデバイスを前記無線ローカルエリアネットワークから切断することと
をさらに含む、請求項１９に記載の非一時的コンピュータ可読記憶媒体。
【請求項２１】
第１のデバイスによって、前記第１のデバイスに無線ローカルエリアネットワークを提供するアクセスポイントに接続することと、
前記第１のデバイスによって、第２のデバイスに、前記第１のデバイスへの接続を求める第１の要求を送信することと、
前記第１のデバイスによって、前記第２のデバイスから、前記第１のデバイスへの接続を求める前記第１の要求に対する第１の応答を受信することと、
前記第２のデバイスによって、第３のデバイスに、前記第２のデバイスへの接続を求める第２の要求を送信することと、
前記第２のデバイスによって、前記第３のデバイスから、前記第２のデバイスへの接続を求める前記第２の要求に対する第２の応答を受信することと、
前記第１の要求および前記第２の要求と、前記第１の応答および前記第２の応答とのうちの少なくとも一部に応じて、前記第１のデバイスによって、前記第１のデバイス、前記第２のデバイス、および前記第３のデバイスを含む暫定アドホックネットワークグループを構成することと、
前記第１のデバイスによって、前記第１のデバイスの第１のネットワーク負荷、前記第２のデバイスの第２のネットワーク負荷、および前記第３のデバイスの第３のネットワーク負荷を決定することと、
前記第１のデバイスによって、前記第１のデバイスの前記第１のネットワーク負荷と、前記第２のデバイスの前記第２のネットワーク負荷と、第３のデバイス の前記第３のネットワーク負荷とのうちの少なくとも２つに基づいて、アドホックネットワークグループを構成することと、
前記第１のデバイスによって、前記アドホックネットワークグループに含まれる１つまたは複数のデバイスに、前記無線ローカルエリアネットワークを提供することと
を含む、方法。
【請求項２２】
前記アドホックネットワークグループが、前記第１のデバイス、前記第２のデバイス、および前記第３のデバイスを含む、請求項２１に記載の方法。
【請求項２３】
前記アドホックネットワークグループが、前記第１のデバイスと、前記第２のデバイスおよび前記第３のデバイスのうちの一方とを含む、請求項２１に記載の方法。
【請求項２４】
前記第１のデバイスの前記第１のネットワーク負荷、前記第２のデバイスの前記第２のネットワーク負荷、および前記第３のデバイスの前記第３のネットワーク負荷が、前記第１のデバイス、前記第２のデバイス、および前記第３のデバイスに提供される前記無線ローカルエリアネットワークに対応する、請求項２１に記載の方法。
【請求項２５】
前記第１のデバイスによって、前記第１のデバイスの前記第１のネットワーク負荷と、前記第２のデバイスの前記第２のネットワーク負荷と、第３のデバイスの前記第３のネットワーク負荷とのうちの少なくとも２つに基づいて、前記アドホックネットワークグループを前記構成することが、
前記第１のデバイスの前記第１のネットワーク負荷と前記第２のデバイスの前記第２のネットワーク負荷との間のネットワーク負荷の差を計算することと、
前記計算されたネットワーク負荷の差が特定の値より大きいという決定に応じて、前記第２のデバイスに前記暫定アドホックネットワークグループから離れるように命令することと
を含む、請求項２１に記載の方法。
【請求項２６】
前記第１のデバイスによって、前記アドホックネットワークグループを前記構成することが、
前記第１のデバイスの前記第１のネットワーク負荷と前記第３のデバイスの前記第３のネットワーク負荷との間のネットワーク負荷の差を計算することと、
前記計算されたネットワーク負荷の差が特定の値より大きいという決定に応じて、前記第３のデバイスに前記暫定アドホックネットワークグループから離れるように命令することと
を含む、請求項２１に記載の方法。
【請求項２７】
前記第１のデバイスによって、前記アドホックネットワークグループを前記構成することが、
前記第２のデバイスの前記第２のネットワーク負荷と前記第３のデバイスの前記第３のネットワーク負荷との間のネットワーク負荷の差を計算することと、
前記計算されたネットワーク負荷の差が特定の値より大きいという決定に応じて、前記第２のデバイスおよび前記第３のデバイスのうちの一方に前記暫定アドホックネットワークグループから離れるように命令することと
を含む、請求項２１に記載の方法。
【請求項２８】
前記第１のデバイスによって、前記アドホックネットワークグループを前記構成することが、
前記第１のデバイスの前記第１のネットワーク負荷と前記第２のデバイスの前記第２のネットワーク負荷との間の第１のネットワーク負荷の差を計算することと、
前記第１のデバイスの前記第１のネットワーク負荷と前記第３のデバイスの前記第３のネットワーク負荷との間の第２のネットワーク負荷の差を計算することと、
前記第２のデバイスの前記第２のネットワーク負荷と前記第３のデバイスの前記第３のネットワーク負荷との間の第３のネットワーク負荷の差を計算することと
のうちの少なくとも１つを含む、請求項２１に記載の方法。
【請求項２９】
前記第１のデバイスによって、前記アドホックネットワークグループを前記構成することが、
前記計算された第１のネットワーク負荷の差が特定の値以下であるという決定に応じて、前記第２のデバイスに前記暫定アドホックネットワークグループから離れるように命令することと、
前記計算された第２のネットワーク負荷の差が前記特定の値以下であるという決定に応じて、前記第３のデバイスに前記暫定アドホックネットワークグループから離れるように命令することと、
前記計算された第３のネットワーク負荷の差が前記特定の値以下であるという決定に応じて、前記第２のデバイスおよび前記第３のデバイスのうちの一方に前記暫定アドホックネットワークグループから離れるように命令することと
のうちの少なくとも１つをさらに含む、請求項２８に記載の方法。
【請求項３０】
前記第１のデバイスによって、前記アドホックネットワークグループを前記構成することが、前記暫定アドホックネットワークグループのネットワーク負荷が、前記アクセスポイントの利用可能ネットワーク負荷より大きいという決定に応じて、前記第２のデバイスおよび前記第３のデバイスのうちの少なくとも一方に前記暫定アドホックネットワークグループから離れるように命令することを含み、
前記暫定アドホックネットワークグループの前記ネットワーク負荷が、前記第１のデバイスの前記第１のネットワーク負荷、前記第２のデバイスの前記第２のネットワーク負荷、および前記第３のデバイスの前記第３のネットワーク負荷の合計を含む、請求項２１に記載の方法。
【請求項３１】
前記アドホックネットワークグループを前記構成することに続いて、前記第１のデバイスによって、前記第２のデバイスの前記第２のネットワーク負荷および／または前記第３のデバイスの前記第３のネットワーク負荷において変化があるかどうかを決定することと、
前記第２のデバイスの前記第２のネットワーク負荷および前記第３のデバイスの前記第３のネットワーク負荷のうちの少なくとも一方における前記変化の決定に応じて、前記アドホックネットワークグループを再構成することと
をさらに含む、請求項２１に記載の方法。
【請求項３２】
前記アクセスポイントに前記接続することが、ワイヤレスフィデリティ（Ｗｉ−Ｆｉ）アクセスポイントに接続することを含み、前記無線ローカルエリアネットワークが、Ｗｉ−Ｆｉネットワークを含む、請求項２１に記載の方法。
【請求項３３】
第１のデバイスであって、
前記第１のデバイスに無線ローカルエリアネットワークを提供するアクセスポイントに接続し、
第２のデバイスに、前記第１のデバイスへの接続を求める第１の要求を送信し、
前記第２のデバイスから、前記第１のデバイスへの接続を求める前記第１の要求に対する第１の応答を受信するように動作する、第１のデバイスと、
前記第２のデバイスであって、
第３のデバイスに、前記第２のデバイスへの接続を求める第２の要求を送信し、
前記第３のデバイスから、前記第２のデバイスへの接続を求める前記第２の要求に対する第２の応答を受信するように動作する、前記第２のデバイスと
を含み、前記第１のデバイスが、
前記第１の要求および前記第２の要求と、前記第１の応答および前記第２の応答とのうちの少なくとも一部に応じて、前記第１のデバイス、前記第２のデバイス、および前記第３のデバイスを含む暫定アドホックネットワークグループを構成し、
前記第１のデバイスの第１のネットワーク負荷、前記第２のデバイスの第２のネットワーク負荷、および前記第３のデバイスの第３のネットワーク負荷を決定し、
前記第１のデバイスの前記第１のネットワーク負荷と、前記第２のデバイスの前記第２のネットワーク負荷と、第３のデバイスの前記第３のネットワーク負荷とのうちの少なくとも２つに基づいて、アドホックネットワークグループを構成し、
前記アドホックネットワークグループに含まれる１つまたは複数のデバイスに、前記無線ローカルエリアネットワークを提供するようにさらに動作する、システム。
【請求項３４】
前記第１のデバイスが、
前記第２のデバイスから、前記第２のデバイスによってアクセスされる内容に関する第１の情報を受信し、
少なくとも部分的に前記第１の情報に基づいて、前記第２のデバイスの前記第２のネットワーク負荷を計算し、
前記第３のデバイスから、前記第３のデバイスによってアクセスされる内容に関する第２の情報を受信し、
少なくとも部分的に前記第２の情報に基づいて、前記第３のデバイスの前記第３のネットワーク負荷を計算するようにさらに動作する、請求項３３に記載のシステム。
【請求項３５】
少なくとも部分的に前記第１の情報に基づいて、前記第２のデバイスの前記第２のネットワーク負荷を計算するために、前記第１のデバイスが、
前記受信した第１の情報から、文字、画像または文章のうちの少なくとも１つをキーワードとして引き出し、
前記引き出されたキーワードに基づいて、前記第２のデバイスの前記第２のネットワーク負荷を計算するように動作する、請求項３４に記載のシステム。
【請求項３６】
前記第１の情報が、前記第２のデバイスによってアクセスされるウェブサイトの、ユニフォームリソースロケータ（ＵＲＬ）アドレスまたはインターネットプロトコル（ＩＰ）アドレスのうちの少なくとも１つを含み、前記第２の情報が、前記第３のデバイスによってアクセスされるウェブサイトのＵＲＬアドレスまたはＩＰアドレスのうちの少なくとも１つを含む、請求項３４に記載のシステム。
【請求項３７】
前記第２のデバイスが、前記第２のデバイスの前記第２のネットワーク負荷を計算し、前記第１のデバイスに前記計算された第２のネットワーク負荷を送信するようにさらに動作する、請求項３３に記載のシステム。
【請求項３８】
前記第３のデバイスが、前記第３のデバイスの前記第３のネットワーク負荷を計算し、前記第１のデバイスに前記計算された第３のネットワーク負荷を送信するように動作する、請求項３３に記載のシステム。
【請求項３９】
前記第２のデバイスが、
前記第２のデバイスが前記アドホックネットワークグループに含まれていることを示す信号を前記第１のデバイスおよび前記第３のデバイスに送信し、
前記第１のデバイスが前記アドホックネットワークグループに含まれていることを示す信号を前記第１のデバイスから受信し、
前記第３のデバイスが前記アドホックネットワークグループに含まれていることを示す信号を前記第３のデバイスから受信するようにさらに動作する、請求項３３に記載のシステム。
【請求項４０】
前記第１のデバイスが、
前記第１のデバイスの前記第１のネットワーク負荷と前記第２のデバイスの前記第２のネットワーク負荷との間の第１のネットワーク負荷の差を計算することと、
前記第１のデバイスの前記第１のネットワーク負荷と前記第３のデバイスの前記第３のネットワーク負荷との間の第２のネットワーク負荷の差を計算することと、
前記第２のデバイスの前記第２のネットワーク負荷と前記第３のデバイスの前記第３のネットワーク負荷との間の第３のネットワーク負荷の差を計算することと
のうちの少なくとも１つによって、前記アドホックネットワークグループを構成するように動作する、請求項３３に記載のシステム。
【請求項４１】
前記第１のデバイスが、
前記計算された第１のネットワーク負荷の差が特定の値以下であるという決定に応じて、前記第２のデバイスに前記暫定アドホックネットワークグループから離れるように命令することと、
前記計算された第２のネットワーク負荷の差が前記特定の値以下であるという決定に応じて、前記第３のデバイスに前記暫定アドホックネットワークグループから離れるように命令することと、
前記計算された第３のネットワーク負荷の差が前記特定の値以下であるという決定に応じて、前記第２のデバイスおよび前記第３のデバイスのうちの一方に前記暫定アドホックネットワークグループから離れるように命令することと
のうちの少なくとも１つによって、前記アドホックネットワークグループを構成するようにさらに動作する、請求項４０に記載のシステム。
【請求項４２】
前記第１のデバイスが、
前記計算された第１のネットワーク負荷の差が特定の値より大きいという決定に応じて、前記第２のデバイスに前記暫定アドホックネットワークグループから離れるように命令することと、
前記計算された第２のネットワーク負荷の差が前記特定の値より大きいという決定に応じて、前記第３のデバイスに前記暫定アドホックネットワークグループから離れるように命令することと、
前記計算された第３のネットワーク負荷の差が前記特定の値より大きいという決定に応じて、前記第２のデバイスおよび前記第３のデバイスのうちの一方に前記暫定アドホックネットワークグループから離れるように命令することと
のうちの少なくとも１つによって、前記アドホックネットワークグループを構成するようにさらに動作する、請求項４０に記載のシステム。
【請求項４３】
前記第１のデバイスが、
前記暫定アドホックネットワークグループのネットワーク負荷が、前記アクセスポイントの利用可能ネットワーク負荷より大きいという決定に応じて、前記第２のデバイスおよび前記第３のデバイスのうちの少なくとも一方に前記暫定アドホックネットワークグループから離れるように命令すること
によって、前記アドホックネットワークグループを構成するように動作し、
前記暫定アドホックネットワークグループの前記ネットワーク負荷が、前記第１のデバイスの前記第１のネットワーク負荷、前記第２のデバイスの前記第２のネットワーク負荷、および前記第３のデバイスの前記第３のネットワーク負荷の合計を含む、請求項３３に記載のシステム。
【請求項４４】
第１のデバイスによって、前記第１のデバイスおよび第２のデバイスに無線ローカルエリアネットワークを提供するアクセスポイントに接続することと、
前記第１のデバイスによって、少なくとも部分的に前記第１のデバイスのネットワーク負荷および前記第２のデバイスのネットワーク負荷に基づいて、前記第１のデバイスおよび前記第２のデバイスを含むアドホックネットワークグループを構成することであって、前記第１のデバイスの前記ネットワーク負荷が、前記アクセスポイントを介して前記第１のデバイスに提供される前記無線ローカルエリアネットワークに基づき、前記第２のデバイスの前記ネットワーク負荷が、前記アクセスポイントを介して前記第２のデバイスに提供される前記無線ローカルエリアネットワークに基づき、前記構成することが、
前記第１のデバイスの前記ネットワーク負荷と前記第２のデバイスの前記ネットワーク負荷の差を計算することと、
前記差が特定の値より大きいかどうかを決定することと、
を含む、構成することと、
前記差が前記特定の値以下であるという決定に応じて、前記第１のデバイスを介して前記第２のデバイスを前記無線ローカルエリアネットワークに接続することと
を含む、方法。